(57)【要約】【課題】  レーザスキャニングユニットの位置合わせを容易に行うことができるレーザスキャニングユニット位置合わせ治具と、レーザスキャニングユニットの位置合わせ機能を備えたレーザプリンタ装置を提供する。【解決手段】  筐体内には、トナーを転写する感光体と、レーザ光線を感光体に照射するレーザスキャニングユニット７と、トナーを定着する定着ユニットとが配設されている。レーザスキャニングユニット７は、ベース部材８に固定されている。そのベース部材８には、組立て時にレーザスキャニングユニット位置合わせ治具９が装着される。レーザスキャニングユニット位置合わせ治具９は、レーザスキャニングユニット７の回動方向の一方の動きを規制して立上げ部８ｂとレーザスキャニングユニット７の所定の部分との間隔を調整するための幅が徐々に変化する楔形部を備えている。【選択図】        図５
2007083579.tif 000002
【特許請求の範囲】
【請求項１】
所定の筐体に配設され、平板部および前記平板部の端部に立設された立上げ部を含むベース部材と、用紙にトナーを転写するための感光体と、前記ベース部材の前記平板部に載置され、所定の画像信号に基づいてレーザ光線を走査しながら前記感光体に向けて照射するレーザスキャニングユニットとを備えたレーザプリンタ装置において、前記レーザスキャニングユニットの位置合わせをするためのレーザスキャニングユニット位置合わせ治具であって、
前記ベース部材の前記立上げ部にスライド可能に装着され、前記立上げ部と前記レーザスキャニングユニットとの間に位置して、前記立上げ部と前記レーザスキャニングユニットとの間隔を調整するための前記立上げ部に沿って幅が徐々に狭くなるように形成された楔形部を備え、
前記レーザスキャニングユニットを前記ベース部材の前記平板部に平行に回動可能に支持した状態で、前記レーザスキャニングユニットの角部を前記楔形部に当接しながら前記楔形部をスライドさせ、前記レーザスキャニングユニットから出射されるレーザ光線が前記感光体における所定の位置に照射される位置において前記レーザスキャニングユニットを前記ベース部材に固定するようにした、レーザスキャニングユニット位置合わせ治具。
【請求項２】
所定の筐体と、
前記筐体に配設されたベース部材と、
用紙にトナーを転写するための感光体と、
前記ベース部材に載置され、所定の画像信号に基づいてレーザ光線を走査しながら前記感光体に向けて照射するレーザスキャニングユニットと、
前記ベース部材に装着され、前記ベース部材における前記レーザスキャニングユニットの位置を変えて、前記レーザスキャニングユニットから出射されたレーザ光線の前記感光体における照射位置を調整するための位置合わせ部材と
を備え、
前記ベース部材は、
前記感光体の軸が延在する方向に延在して前記レーザスキャニングユニットが載置される平板部と、
前記平板部の端部において前記感光体の軸が延在する方向に立設するように形成された立上げ部と、
を含み、
前記位置合わせ部材は前記立上げ部にスライド可能に装着され、
前記位置合わせ部材は、前記立上げ部と前記レーザスキャニングユニットとの間に位置して、前記立上げ部と前記レーザスキャニングユニットとの間隔を調整するための前記立上げ部に沿って幅が徐々に狭くなるように形成された楔形部を含み、
前記レーザスキャニングユニットは、前記ベース部材の前記平板部に平行に回動可能に支持された状態で、前記レーザスキャニングユニットの角部を前記楔形部に当接しながら前記楔形部をスライドさせ、前記レーザスキャニングユニットから出射されるレーザ光線が前記感光体における所定の位置に照射される位置において前記ベース部材に固定された、レーザプリンタ装置。
【請求項３】
レーザプリンタ装置において、用紙にトナーを転写する感光体に向けてレーザ光線を出射するレーザスキャニングユニットの位置合わせをするためのレーザスキャニングユニット位置合わせ治具であって、
レーザプリンタ装置においてレーザスキャニングユニットが載置される所定のベース部材に装着され、前記レーザスキャニングユニットの前記ベース部材における配置関係を変えて、前記レーザスキャニングユニットから出射されたレーザ光線の感光体における照射位置を調整するための位置調整部を備え、
前記位置調整部をスライドさせて、前記レーザスキャニングユニットから出射されるレーザ光線が前記感光体における所定の位置に照射される位置において前記レーザスキャニングユニットを前記ベース部材に固定するようにした、レーザスキャニングユニット位置合わせ治具。
【請求項４】
前記ベース部材は、
前記レーザスキャニングユニットを載置する平板部と、
前記平板部の端部に沿って立設するように形成された立上げ部と
を含み、
前記位置調整部は前記立上げ部にスライド可能に装着され、
前記位置調整部は、前記立上げ部と前記レーザスキャニングユニットとの間に位置して、前記立上げ部の所定の部分と前記レーザスキャニングユニットの所定の部分との間隔を調整する楔形部を含む、請求項３記載のレーザスキャニングユニット位置合わせ治具。
【請求項５】
前記位置調整部は、前記立上げ部にマグネットにより着脱可能に装着される、請求項４記載のレーザスキャニングユニット位置合わせ治具。
【請求項６】
用紙にトナーを転写するための感光体と、
所定の画像信号に基づいてレーザ光線を走査しながら前記感光体に向けて照射するレーザスキャニングユニットと、
前記レーザスキャニングユニットを載置するベース部材と、
前記ベース部材に装着され、前記ベース部材における前記レーザスキャニングユニットの位置を変えて、前記レーザスキャニングユニットから出射されたレーザ光線の前記感光体における照射位置を調整するための位置合わせ部材と
を備えた、レーザプリンタ装置。
【請求項７】
前記ベース部材は、
前記レーザスキャニングユニットを載置する平板部と、
前記平板部の端部に沿って立設するように形成された立上げ部と
を含み、
前記位置合わせ部材は、前記立上げ部に装着され、前記立上げ部と前記レーザスキャニングユニットとの間に位置して、前記立上げ部と前記レーザスキャニングユニットとの間隔を調整するための間隔調整部を含み、
前記レーザスキャニングユニットは、前記ベース部材の前記平板部に平行に回動可能に支持された状態で、前記レーザスキャニングユニットを前記間隔調整部に当接しながら前記位置合わせ部材をスライドさせ、前記レーザスキャニングユニットから出射されるレーザ光線が前記感光体における所定の位置に照射される位置において前記ベース部材に固定された、請求項６記載のレーザプリンタ装置。
【発明の詳細な説明】
【技術分野】
【０００１】
本発明はレーザスキャニングユニット位置合わせ治具およびレーザプリンタ装置に関し、特に、レーザスキャニングユニットから出射されて感光体に照射されるレーザ光線の感光体における位置を調整するためのレーザスキャニングユニット位置合わせ治具と、レーザスキャニングユニットの位置合わせをする機能を備えたレーザプリンタ装置とに関するものである。
【背景技術】
【０００２】
プリンタ装置の一形態にレーザプリンタ装置がある。図１１に示すように、レーザプリンタ装置１０１では、給紙口１０２から給紙された所定の用紙２０が感光体１０４を通過する際に、レーザスキャニングユニット１０７からレーザ光線を感光体１０４に照射することによって、カートリッジ１０５から供給されるトナーが用紙２０に転写される。トナーが転写された用紙２０は、定着ユニット１０６において所定の温度のもとで定着が行なわれて排紙口１０３から排紙される。
【０００３】
この一連の印刷動作において、特に、レーザスキャニングユニット１０７では、図１２に示すように、内装されているポリゴンミラー（図示せず）を回転させることによって画像信号に基づいたレーザ光線１１０が、底部に設けられた所定の開口部（図示せず）から感光体に向けてスキャンしながら出射されることになる。
【０００４】
用紙に対して画像等が斜めに印刷されないようにするためには、レーザスキャニングユニット１０７から出射されるレーザ光線が、円柱状（あるいは円筒状）の感光体１０４の表面における所定の位置に照射されることが要求される。すなわち、図１３に示すように、スキャンしながら照射されるレーザ光線１１０の感光体１０４の表面における像（軌跡）１１０ａが、感光体１０４の回転軸１０４ａとほぼ平行になることが求められる。
【０００５】
そのため、レーザプリンタ装置１０１の組立て作業においては、レーザ光線１１０を感光体１０４の表面の所定の位置に照射するために、ベース部材１０８に載置されるレーザスキャニングユニット１０７の位置合わせが行なわれる。なお、用紙に印刷される画像のゆがみをソフト的に修正する手法を開示した文献として、特許文献１および特許文献２がある。また、用紙そのもののゆがみを直す手法を開示した文献として特許文献３がある。
【特許文献１】特開平８−２２８２６１号公報
【特許文献２】特開平７−２３９９０８号公報
【特許文献３】特開平９−２６１４１６号公報
【発明の開示】
【発明が解決しようとする課題】
【０００６】
しかしながら、従来のレーザプリンタ装置では次のような問題点があった。図１２に示すように、レーザスキャニングユニット１０７は、レーザプリンタ装置の筐体に配設されたベース部材１０８の平板部と平行にレーザスキャニングユニット１０７を回動（矢印３０）可能に支持する突起１０７ｄを備え、また、その回動に対応してレーザスキャニングユニット１０７をベース部材１０８に固定するためのねじが挿通される所定の長孔１０７ｅが形成されている。
【０００７】
レーザプリンタ装置の組立てにおいては、図１３に示すように、レーザ光線１１０を照射しながらレーザスキャニングユニット１０７をベース部材１０８の上で回動（矢印）させ、感光体１０４の表面に照射されるレーザ光線１１０の像１１０ａのうち、感光体１０４の両端部（点線枠１１５ａ，１１５ｂ内）における像がそれぞれ所定のカメラ（図示せず）にてモニタされる。そして、モニタされるそれぞれの像が一直線上に重なった状態で、レーザスキャニングユニット１０７がベース部材１０８にねじによって固定されることになる。
【０００８】
このとき、手などでレーザスキャニングユニット１０７をベース部材１０８に押し付けた状態で行なわれるため、レーザスキャニングユニット１０７のベース部材１０８の平板部１０８ａに対して垂直方向の動きは規制されるものの、平板部１０８ａと平行な動きに対してはこれを確実に規制することができず、ねじを締める段階でレーザスキャニングユニット１０７が回動して、位置合わせをしたレーザスキャニングユニット１０７が位置ずれを起こしてしまうことがあった。そのために、再度位置合わせを行なわなければならず、レーザスキャニングユニット１０７の位置合わせ作業が煩雑になるという問題があった。
【０００９】
本発明は上記問題点を解決するためになされたものであり、一つの目的は、レーザスキャニングユニットの位置合わせを容易に行うことができるレーザスキャニングユニット位置合わせ治具を提供することであり、他の目的は、レーザスキャニングユニットの位置合わせ機能を備えたレーザプリンタ装置を提供することである。
【課題を解決するための手段】
【００１０】
本発明に係るレーザスキャニングユニット位置合わせ治具は、所定の筐体に配設され、平板部およびその平板部の端部に立設された立上げ部を含むベース部材と、用紙にトナーを転写するための感光体と、ベース部材の平板部に載置され、所定の画像信号に基づいてレーザ光線を走査しながら感光体に向けて照射するレーザスキャニングユニットとを備えたレーザプリンタ装置において、レーザスキャニングユニットの位置合わせをするためのレーザスキャニングユニット位置合わせ治具であって、ベース部材の立上げ部にスライド可能に装着され、立上げ部とレーザスキャニングユニットとの間に位置して、立上げ部とレーザスキャニングユニットとの間隔を調整するための立上げ部に沿って幅が徐々に狭くなるように形成された楔形部を備えている。そして、レーザスキャニングユニットをベース部材の平板部に平行に回動可能に支持した状態で、レーザスキャニングユニットの角部を楔形部に当接しながら楔形部をスライドさせ、レーザスキャニングユニットから出射されるレーザ光線が感光体における所定の位置に照射される位置においてレーザスキャニングユニットをベース部材に固定するようにしている。
【００１１】
この構成によれば、レーザスキャニングユニットの位置合わせをする際に、レーザスキャニングユニットのベース部材の平板部に対して垂直方向の動きが規制されるとともに、楔形部によってレーザスキャニングユニット７の平板部と平行な動き（回動）が規制されることになる。これにより、ねじを締め付ける際にレーザスキャニングユニットが回動することがなくなって、レーザスキャニングユニットの位置ずれが確実に阻止される。その結果、レーザスキャニングユニットの位置合わせを再度行なう必要がなくなって、レーザスキャニングユニット７の位置合わせ作業を容易にすることができる。
【００１２】
本発明に係るレーザプリンタ装置は、所定の筐体とベース部材と感光体とレーザスキャニングユニットと位置合わせ部材とを備えている。ベース部材は筐体に配設されている。感光体は用紙にトナーを転写する。レーザスキャニングユニットはベース部材に載置され、所定の画像信号に基づいてレーザ光線を走査しながら感光体に向けて照射する。位置合わせ部材はベース部材に装着され、ベース部材におけるレーザスキャニングユニットの位置を変えて、レーザスキャニングユニットから出射されたレーザ光線の感光体における照射位置を調整する。ベース部材は、感光体の軸が延在する方向に延在してレーザスキャニングユニットが載置される平板部と、その平板部の端部において感光体の軸が延在する方向に立設するように形成された立上げ部とを含んでいる。位置合わせ部材は立上げ部にスライド可能に装着されている。また、位置合わせ部材は、立上げ部とレーザスキャニングユニットとの間に位置して、立上げ部とレーザスキャニングユニットとの間隔を調整するための立上げ部に沿って幅が徐々に狭くなるように形成された楔形部を含んでいる。レーザスキャニングユニットは、ベース部材の平板部に平行に回動可能に支持された状態で、レーザスキャニングユニットの角部を楔形部に当接しながら楔形部をスライドさせ、レーザスキャニングユニットから出射されるレーザ光線が感光体における所定の位置に照射される位置においてベース部材に固定されている。
【００１３】
この構成によれば、レーザプリンタ装置が位置合わせ部材を備えていることで、レーザスキャニングユニットの位置合わせをする際に、レーザスキャニングユニットのベース部材の平板部に対して垂直方向の動きが規制されるとともに、楔形部によってレーザスキャニングユニットの平板部と平行な動き（回動）が規制されることになる。これにより、ねじを締め付ける際にレーザスキャニングユニットが回動することがなくなって、レーザスキャニングユニットの位置ずれを確実に阻止することができる。また、用紙のずれに対してもレーザスキャニングユニットの位置合わせを容易に行うことができる。
【００１４】
本発明に係る他のレーザスキャニングユニット位置合わせ治具は、レーザプリンタ装置において、用紙にトナーを転写する感光体に向けてレーザ光線を出射するレーザスキャニングユニットの位置合わせをするためのレーザスキャニングユニット位置合わせ治具であって、レーザプリンタ装置においてレーザスキャニングユニットが載置される所定のベース部材に装着され、レーザスキャニングユニットのベース部材における配置関係を変えて、レーザスキャニングユニットから出射されたレーザ光線の感光体における照射位置を調整するための位置調整部を備えている。その位置調整部をスライドさせて、レーザスキャニングユニットから出射されるレーザ光線が感光体における所定の位置に照射される位置においてレーザスキャニングユニットをベース部材に固定するようにしている。
【００１５】
この構成によれば、レーザスキャニングユニットをベース部材における所定の位置に位置合わせをしてレーザスキャニングユニットを固定する際に、位置調整部により、レーザスキャニングユニットの位置ずれが確実に阻止される。その結果、従来のように、レーザスキャニングユニットの位置合わせを再度行なう必要がなくなって、レーザスキャニングユニットの位置合わせ作業を容易にすることができる。
【００１６】
より具体的に、位置調整部によりレーザスキャニングユニットの位置ずれを確実に阻止するには、ベース部材は、レーザスキャニングユニットを載置する平板部と、その平板部の端部に沿って立設するように形成された立上げ部とを含み、位置調整部は立上げ部にスライド可能に装着され、位置調整部は、立上げ部とレーザスキャニングユニットとの間に位置して、立上げ部の所定の部分とレーザスキャニングユニットの所定の部分との間隔を調整する楔形部を含むことが好ましい。
【００１７】
これにより、楔形部によってレーザスキャニングユニットの平板部と平行な動き（回動）が規制されて、ねじを締め付ける際にレーザスキャニングユニットが回動することがなくなって、レーザスキャニングユニットの位置ずれを確実に阻止することができる。
【００１８】
また、位置調整部は、立上げ部にマグネットにより着脱可能に装着されることが好ましい。
【００１９】
この場合には、レーザスキャニングユニットの位置合わせが完了した後に、位置調整部を容易に取外すことができる。
【００２０】
本発明に係る他のレーザプリンタ装置は、感光体とレーザスキャニングユニットとベース部材と位置合わせ部材とを備えている。感光体は用紙にトナーを転写する。レーザスキャニングユニットは、所定の画像信号に基づいてレーザ光線を走査しながら感光体に向けて照射する。ベース部材は、レーザスキャニングユニットを載置する。位置合わせ部材はベース部材に装着され、ベース部材におけるレーザスキャニングユニットの位置を変えて、レーザスキャニングユニットから出射されたレーザ光線の感光体における照射位置を調整する。
【００２１】
この構成によれば、レーザプリンタ装置が位置合わせ部材を備えていることで、レーザスキャニングユニットの位置合わせをする際に、レーザスキャニングユニットのベース部材に対する動きが規制されて、レーザスキャニングユニットの位置ずれを確実に阻止することができる。また、用紙のずれに対してもレーザスキャニングユニットの位置合わせを容易に行うことができる。
【００２２】
より具体的に、位置合わせ部材によりレーザスキャニングユニットの位置ずれを確実に阻止するには、ベース部材は、レーザスキャニングユニットを載置する平板部と、その平板部の端部に沿って立設するように形成された立上げ部とを含み、位置合わせ部材は、立上げ部に装着され、立上げ部とレーザスキャニングユニットとの間に位置して、立上げ部とレーザスキャニングユニットとの間隔を調整するための間隔調整部を含み、レーザスキャニングユニットは、ベース部材の平板部に平行に回動可能に支持された状態で、レーザスキャニングユニットを間隔調整部に当接しながら位置合わせ部材をスライドさせ、レーザスキャニングユニットから出射されるレーザ光線が感光体における所定の位置に照射される位置においてベース部材に固定されていることが好ましい。
【００２３】
これにより、間隔調整部によってレーザスキャニングユニットの平板部と平行な動き（回動）が規制されて、ねじを締め付ける際にレーザスキャニングユニットが回動することがなくなって、レーザスキャニングユニットの位置ずれを確実に阻止することができる。
【発明を実施するための最良の形態】
【００２４】
ここでは、レーザプリンタ装置を組立てる際に、レーザスキャニングユニットの位置合わせに使用されるレーザスキャニングユニット位置合わせ治具について、レーザプリンタ装置の構造を交えて説明する。
【００２５】
まず、図１に示すように、レーザプリンタ装置１では、筐体１ａ内の下部には、所定の用紙２０に画像等を印刷するためのトナーを転写する円柱状（あるいは円筒状）の感光体４が配設されている。その感光体４と対向するようにトナーを供給するカートリッジ５が配設されている。筐体１ａ内の上部では、所定の画像信号に基づいてレーザ光線を感光体４に向けて照射するレーザスキャニングユニット７と、用紙２０に転写されたトナーを定着するための定着ユニット６がそれぞれ配設されている。
【００２６】
次に、レーザスキャニングユニット７と感光体４についてさらに詳しく説明する。レーザスキャニングユニット７では、図２に示すように、画像信号に基づいたレーザ光線を感光体に照射させるために、ポリゴンミラー７ａとそのポリゴンミラー７ａを回転させるポリゴンモータ７ｂが内装されている。レーザスキャニングユニット７の底面には、レーザ光線をスキャンしながら出射するための出射口７ｃが設けられている。また、レーザスキャニングユニット７の所定の位置には、レーザスキャニングユニット７をベース部材に固定するためのねじが挿通される長穴７ｅが形成されている。
【００２７】
そのレーザスキャニングユニット７は、ベース部材８に固定されている。図３に示すように、ベース部材８は、レーザスキャニングユニット７が載置される平板部８ａと、その平板部８ａの端部に沿って立設するように形成された立上げ部８ｂとにより構成される。平板部８ａと立上げ部８ｂは、後述する感光体４の回転軸に沿って延在する。その平板部８ａには、レーザスキャニングユニット７の底面に設けられた突起７ｄ（図２参照）を受け入れて、レーザスキャニングユニット７を平板部８ａに平行に回動可能に支持する凹部８ｃが形成されている。
【００２８】
また、平板部８ａには、所定の位置合わせがされた状態でレーザスキャニングユニット７を固定するためのねじ孔８ｄが形成されている。さらに、平板部８ａには、レーザスキャニングユニット７から出射されるレーザ光線を感光体４へ向けて通過させる開口部８ｆが形成されている。こうして、図４に示すように、ベース部材８に固定されたレーザスキャニングユニット７から出射された画像信号に基づいたレーザ光線１０は、スキャンしながら感光体４に照射されることになる。レーザプリンタ装置１は、主に上記のように構成される。
【００２９】
そのようなレーザプリンタ装置１においては、用紙２０に対して画像等が斜めに印刷されないようにするためには、スキャンしながら照射されるレーザ光線１０の感光体４の表面における像（軌跡）が、感光体４の回転軸４ａ（図４参照）とほぼ平行になることが求められる。そのため、レーザプリンタ装置１の組立て作業においては、ベース部材８に対するレーザスキャニングユニット７の位置合わせが行なわれることになる。
【００３０】
そこで、次に、そのレーザスキャニングユニット７の位置合わせに使用されるレーザスキャニングユニット位置合わせ治具について詳しく説明する。図５および図６に示すように、レーザスキャニングユニット位置合わせ治具９は、ベース部材８の立上げ部８ｂにスライド（矢印２５）可能に装着され、また、たとえばマグネット９ｂにより立上げ部８ｂに対して着脱可能とされる。
【００３１】
そのレーザスキャニングユニット位置合わせ治具９には、立上げ部８ｂとレーザスキャニングユニット７との間に位置し、レーザスキャニングユニット７の回動（矢印３０）方向の一方の動きを規制して立上げ部８ｂとレーザスキャニングユニット７の所定の部分（たとえば角部）との間隔を調整するための楔形部９ａが設けられている。楔形部９ａは立上げ部８ｂに沿って幅が徐々に狭くなるように形成されている。
【００３２】
次に、レーザプリンタ装置１の組立てにおける上述したレーザスキャニングユニット位置合わせ治具９によるレーザスキャニングユニット７の位置合わせについて具体的に説明する。レーザスキャニングユニット７をベース部材８の平板部８ａに平行に回動可能に支持した状態で、レーザスキャニングユニットの角部を楔形部に当接させ（図５参照）、レーザスキャニングユニット７からレーザ光線１０を感光体４に向けて出射させる（図４参照）。感光体４の表面に照射されるレーザ光線１０の像のうち、感光体４の両端部（図７〜図９における点線枠１５ａ,１５ｂを参照）における像がそれぞれ所定のカメラ（図示せず）にてモニタされる。
【００３３】
次に、図７〜図９に示すように、モニタされる像１０ａを観察し、レーザスキャニングユニット７の角部を楔形部９ａに当接した状態で楔形部９ａをスライド（矢印２６）させながらベース部材８におけるレーザスキャニングユニット７の相対的な配置関係を変えて、モニタされるそれぞれの像１０ａが一直線上に重なる状態にする。そして、それぞれの像１０ａが一直線上に重なった状態（図８に示す状態）で、レーザスキャニングユニット７を押え付けてレーザスキャニングユニット７をベース部材８にねじによって固定する。
【００３４】
このとき、レーザスキャニングユニット７のベース部材８の平板部８ａに対して垂直方向の動きが規制されるとともに、楔形部９ａによってレーザスキャニングユニット７の平板部８ａと平行な動き（回動）が規制されることになる。これにより、ねじを締め付ける際にレーザスキャニングユニット７が回動することがなくなって、レーザスキャニングユニット７の位置ずれが確実に阻止される。その結果、従来のように、レーザスキャニングユニット７の位置合わせを再度行なう必要がなくなって、レーザスキャニングユニット７の位置合わせ作業を容易にすることができる。
【００３５】
レーザスキャニングユニット７の位置合わせ作業が完了すると、レーザスキャニングユニット位置合わせ治具９はベース部材から取外されることになる。なお、図１では、レーザスキャニングユニット位置合わせ治具９の説明のために、レーザスキャニングユニット位置合わせ治具９がベー支部材８に取付けられた状態を示しているが、実際の使用状態では、レーザスキャニングユニット位置合わせ治具９はベース部材８から取外されることになる。
【００３６】
変形例
上述した実施の形態では、レーザプリンタ装置１の組立てにおいて使用されるレーザスキャニングユニット位置合わせ治具９として説明したが、治具としてではなく、レーザプリンタ装置１内にそのようなレーザスキャニングユニット７の位置合わせ機能をもたせるようにしてもよい。
【００３７】
この場合には、たとえば、図１０に示すように、ベース部材８の立上げ部８ｂに設けられた長穴８ｇに対して、スライド（矢印２５）可能にレーザスキャニングユニット位置合わせ治具９があらかじめ装着されている。レーザスキャニングユニット７の位置合わせをする際には、上述した方法と同様にして、モニタされるレーザ光線の像を観察しながら、レーザスキャニングユニット７の角部を楔形部９ａに当接した状態で楔形部９ａをスライドさせ、それぞれの像が一直線上に重なった状態で、レーザスキャニングユニット７を押え付けてレーザスキャニングユニット７をベース部材８にねじ９ｃによって固定する。そして、レーザスキャニングユニット７の位置合わせが完了した後でも、レーザスキャニング位置合わせ治具９はベース部材８にそのまま装着された状態とされる。
【００３８】
なお、上述したレーザスキャニングユニット位置合わせ治具９およびレーザスキャニングユニット７の位置合わせ機能を備えたレーザプリンタ装置１では、治具として、モニタされるそれぞれのレーザ光線の像が一直線上に重なる状態にするための手段として説明したが、たとえばレーザプリンタ装置１における用紙の搬送に伴うスキュをする場合などにも、そのずれの傾向に応じて適切にレーザスキャニングユニット７の位置合わせをすることができる。
【００３９】
今回開示された実施の形態はすべての点で例示にすぎず、これに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００４０】
【図１】本発明に実施の形態に係るレーザプリンタ装置とそれに使用されるレーザスキャニングユニット位置合わせ治具を示す分解斜視図である。
【図２】同実施の形態において、レーザスキャニングユニットを示す斜視図である。
【図３】同実施の形態において、ベース部材を示す斜視図である。
【図４】同実施の形態において、レーザスキャニングユニットから感光体へ向けてレーザ光線が出射される様子を示す斜視図である。
【図５】同実施の形態において、ベース部材とそれに取付けられるレーザスキャニングユニットとレーザスキャニングユニット位置合わせ治具とを示す斜視図である。
【図６】同実施の形態において、レーザスキャニングユニット位置合わせ治具を示す部分拡大斜視図である。
【図７】同実施の形態において、レーザスキャニングユニット位置合わせ治具によるレーザスキャニングユニットの位置合わせ方法を示す第１の平面図である。
【図８】同実施の形態において、レーザスキャニングユニット位置合わせ治具によるレーザスキャニングユニットの位置合わせ方法を示す第２の平面図である。
【図９】同実施の形態において、レーザスキャニングユニット位置合わせ治具によるレーザスキャニングユニットの位置合わせ方法を示す第３の平面図である。
【図１０】同実施の形態において、変形例に係るレーザプリンタ装置におけるレーザスキャニングユニット位置合わせ治具を示す部分拡大斜視図である。
【図１１】従来のレーザプリンタ装置を示す分解斜視図である。
【図１２】従来のレーザプリンタ装置において、レーザスキャニングユニットから感光体へ向けてレーザ光線が出射される様子を示す平面図である。
【図１３】従来のレーザプリンタ装置において、レーザスキャニングユニットの位置合わせを説明するための平面図である。
【符号の説明】
【００４１】
１  レーザプリンタ装置、１ａ  筐体、２  給紙口、３  排紙口、４  感光体、４ａ  回転軸、５  カートリッジ、６  定着ユニット、７  レーザスキャニングユニット、７ａ  ポリゴンミラー、７ｂ  ポリゴンモータ、７ｃ  出射口、７ｄ  突起、７ｅ  長穴、８  ベース部材、８ａ  平板部、８ｂ  立上げ部、８ｃ  凹部、８ｄ  ねじ孔、８ｅ、８ｆ  開口部、８ｇ  長穴、９  レーザスキャニングユニット位置合わせ治具、９ａ  楔形部、９ｂ  マグネット部、９ｃ  ねじ、１０  レーザ光線、２０  用紙。
【図１】
2007083579.tif 000003
【図２】
2007083579.tif 000004
【図３】
2007083579.tif 000005
【図４】
2007083579.tif 000006
【図５】
2007083579.tif 000007
【図６】
2007083579.tif 000008
【図７】
2007083579.tif 000009
【図８】
2007083579.tif 000010
【図９】
2007083579.tif 000011
【図１０】
2007083579.tif 000012
【図１１】
2007083579.tif 000013
【図１２】
2007083579.tif 000014
【図１３】
2007083579.tif 000015